(57)【要約】【課題】制御基板を収容するケースの封止部分に対して外部から工具により操作できない構造にし、不正行為を確実に防止できるようにする。【解決手段】カバー側封止部５３に形成された突起６７及びフック６９、並びに、ベース側封止部５５ａ，に形成された突起７１及びフック７３が、接合体５７の内側に係止され、これによりカバー側封止部５３とベース側封止部５５ａとが接合されると共に、接合体５７により、カバー側封止部５３ａとベース側封止部５５ａとの間の隙間が塞がれ、各フック６９，７３及び各突起６７，７１が接合体５７により外部からアクセスできないように覆われる。【選択図】　　　　図３
2004008286.tif 000002
【特許請求の範囲】
【請求項１】
ベースとカバーとに分割され遊技機筐体に固定されるケースに設けられ、遊技機用の制御基板を前記ケース内に収容して封止する遊技機用制御基板の封止装置において、
前記ベースまたは前記カバーの一方に形成された一方側封止部と、
前記ベースまたは前記カバーの他方の前記一方側封止部との対向位置に形成された他方側封止部と、
前記一方側封止部に形成された一方側係止体と、
前記他方側封止部の前記一方側係止体と干渉しない位置に形成された他方側係止体と、
前記一方側係止体及び前記他方側係止体がその内側に係止することで前記両封止部を接合し前記両係止体を外部からアクセスできないように覆う接合体と
を備えていることを特徴とする遊技機用制御基板の封止装置。
【請求項２】
前記一方側封止部が前記カバーの側面に複数個形成され、
前記他方側封止部が複数個設けられ、複数個の前記他方側封止部のうち少なくとも１個が前記ベースの側面に形成され、残りの前記他方側封止部が前記筐体側に形成され、
前記接合体が複数個設けられ、複数個の前記接合体のうち少なくとも１個が前記制御基板に形成されている
ことを特徴とする請求項１に記載の遊技機用制御基板の封止装置。
【請求項３】
前記接合体が、透孔を有する平板状を成し、前記接合体が前記両封止部間に介挿されて係止状態の前記両係止体を外部からアクセスできないように前記両封止部間の隙間を塞ぐものであることを特徴とする請求項２に記載の遊技機用制御基板の封止装置。
【請求項４】
前記接合体が、筒状基部と、この筒状基部の内周中央部に内方に突出して形成された内側フランジとを備え、
前記内側フランジに前記一方側係止体及び前記他方側係止体が係止し、前記係止状態の前記両係止体を外部からアクセスできないように前記接合体が前記両封止部の外側を包被するものである
ことを特徴とする請求項２に記載の遊技機用制御基板の封止装置。
【請求項５】
前記一方側封止部が、切離可能な支持部を介して前記カバーの側面に一体形成され、
前記ベース側面の前記他方側封止部が、切離可能な接合部を介して一体形成されている
ことを特徴とする請求項２に記載の遊技機用制御基板の封止装置。
【請求項６】
前記一方側係止体が、前記一方側封止部に植設された一対の突起と、これら両突起の先端に形成されたフックとを備え、
前記他方側係止体が、前記他方側封止部に前記一方側係止体の前記両突起と位相をずらして植設された一対の突起と、これら両突起の先端に形成されたフックとを備えていることを特徴とする請求項１ないし５のいずれかに記載の遊技機用制御基板の封止装置。
【発明の詳細な説明】
【０００１】
【発明の属する技術分野】
この発明は、ベースとカバーとに分割され遊技機筐体に固定されるケースに設けられ、遊技機用の制御基板をケース内に収容して封止する遊技機用制御基板の封止装置に関する。
【０００２】
【従来の技術】
一般に、スロットマシンやパチンコ機等の遊技機は、マイクロコンピュータにより制御されるようになっており、このマイクロコンピュータは予め所定パターンのプリント配線が施された制御基板上に、ＣＰＵやＲＯＭ、ＲＡＭ等のチップ部品が実装されて構成され、この制御基板が、図１３に示すような基板ケース１００内に収容されて遊技機筐体内の所定位置に配設される。
【０００３】
ところで、この基板ケース１００は、図１３に示すように、透明樹脂製のベース１０１とカバー１０２とに分割され、ケース１００内に制御基板を収めた後、加締め部１０３においてベース１０１とカバー１０２とを加締めて封止し、この加締め部１０３を壊さない限りケース１００を開けることができない構造になっている。ここで、図１３には示されていないホルダが遊技機筐体内部の所定位置に固着され、ケース１００のベース１０１はこのホルダを介して遊技機筐体に固定されている。
【０００４】
そして、加締め部１０３は、図１３に示すように、例えばケース１００の右側面に設けられた６個の封止部材１０４〜１０９を備え、更にこれら各封止部材１０４〜１０９は、カバー１０２の右側面に一体的に形成されたほぼ円筒状を成すカバー側封止部１０４ａ〜１０９ａと、ベース１０１の右側面であって各カバー側封止部１０４ａ〜１０９ａそれぞれとの対向位置に一体的に形成されたベース側封止部１０４ｂ〜１０９ｂとを備え、ねじにより各カバー側封止部１０４ａ〜１０９ａそれぞれと各ベース側封止部１０４ｂ〜１０９ｂそれぞれとが締結されて封止されるようになっている。但し、図１３において、１１０，１１１，１１２はカバー１０２に形成された透孔から導出されたピンヘッダであり、ケース１００内の制御基板に配設されており、外部ケーブルに接続される。
【０００５】
このとき、当初内蔵されている正規のＲＯＭを取り外して不正な変造ＲＯＭが取り付けられることを防止するために、まず１番目の封止部材１０４の両封止部１０４ａ，１０４ｂがねじ止めされてケース１００が封止され、この封止状態のまま制御基板がケース１００ごとパチンコホールに搬送される。更に、パチンコホールにおいて、２番目の両封止部１０５ａ，１０５ｂがねじ止めされて封止状態のケース１００がホルダを介して遊技機筐体に固定される。
【０００６】
そして、監督機関が変造ＲＯＭを取り締まるために、パチンコホールにおいてチェックする際に、ねじ止めされている１番目及び２番目の封止部材１０４，１０５が切断されて封止解除され、チェック終了後に３番目の封止部材１０６の両封止部１０６ａ，１０６ｂがねじ止めされ、このような監督機関による変造ＲＯＭの取り締まりごとに４番目、５番目の封止部材１０７，１０８が順次ねじ止めされて封止され、合計３回の監督機関によるチェックまで許容される構造になっている。
【０００７】
尚、制御基板をケース１００ごと回収する際に、５番目の封止部材１０８が切断されてケース１００が遊技機筐体から取り外し可能な状態にされると共に、６番目の封止部材１０９がねじ止めされてケース１００が封止状態のまま搬送可能な状態にされ、制御基板がケース１００ごと回収される。
【０００８】
【発明が解決しようとする課題】
しかし、上記したような従来の加締め部１０３は、ねじ止めによって封止するものであるため、ねじ頭に形成されているマイナスドライバの係合溝を、逆動できないような傾斜構造にしてあるものの、円筒状のカバー側封止部１０４ａ〜１０９ａに外部から工具を挿入して締結状態のねじを逆動操作して緩めることが可能であり、制御基板に対して何らかの不正行為を施すことができ、いわゆるゴト行為を防止することができないおそれがあった。
【０００９】
そこで、本発明は、制御基板を収容するケースの封止部分に対して外部から工具により操作できない構造にし、不正行為を確実に防止できるようにすることを目的とする。
【００１０】
【課題を解決するための手段】
上記した目的を達成するために、本発明は、ベースとカバーとに分割され遊技機筐体に固定されるケースに設けられ、遊技機用の制御基板を前記ケース内に収容して封止する遊技機用制御基板の封止装置において、前記ベースまたは前記カバーの一方に形成された一方側封止部と、前記ベースまたは前記カバーの他方の前記一方側封止部との対向位置に形成された他方側封止部と、前記一方側封止部に形成された一方側係止体と、前記他方側封止部の前記一方側係止体と干渉しない位置に形成された他方側係止体と、前記一方側係止体及び前記他方側係止体がその内側に係止することで前記両封止部を接合し前記両係止体を外部からアクセスできないように覆う接合体とを備えていることを特徴としている（請求項１）。
【００１１】
このような構成によれば、一方側封止部に形成された一方側係止体、及び、他方側封止部に形成された他方側係止体が、接合体の内側に係止され、これにより一方側封止部及び他方側封止部が接合されると共に、両係止体が接合体により外部からアクセスできないように覆われる。
【００１２】
そのため、ねじを用いることなくケースを封止することができ、しかも係止状態の両係止体が接合体により外部からはアクセスできない状態になることから、従来のように、工具により両係止体の係止状態が外部から解除されることもなく、不正行為を確実に防止することができる。
【００１３】
また、本発明は、前記一方側封止部が前記カバーの側面に複数個形成され、前記他方側封止部が複数個設けられ、複数個の前記他方側封止部のうち少なくとも１個が前記ベースの側面に形成され、残りの前記他方側封止部が前記筐体側に形成され、前記接合体が複数個設けられ、複数個の前記接合体のうち少なくとも１個が前記制御基板に形成されていることを特徴としている（請求項２）。
【００１４】
このような構成によれば、ベースをカバーによって覆う際に、一方側封止部と他方側封止部とを対向させて両係止体を接合体に係止させる位置に容易に位置決めすることができる。更に、制御基板に形成された接合体に一方側係止体と他方側係止体とを係止させることにより、別途準備した接合体を使用する場合に比べ、封止前に接合体を紛失するようなこともなく、封止作業を効率よく円滑に行うことができる。しかも、接合体が、例えば一体成型により制御基板に形成されているため、接合体を切断したときは切断の痕跡が制御基板に残り、その痕跡から不正による切断を容易に発見することができる。
【００１５】
また、本発明は、前記接合体が、透孔を有する平板状を成し、前記接合体が前記両封止部間に介挿されて係止状態の前記両係止体を外部からアクセスできないように前記両封止部間の隙間を塞ぐものであることを特徴としている（請求項３）。
【００１６】
このような構成によれば、各接合体が透孔を有する平板状であり、円形或いは多角形のワッシャ状であるため、接合体を簡単に形成することができ、しかも接合体により両封止部間の隙間を塞ぐことにより、両封止部間の隙間に外部から工具等を挿入することが困難になり、不正行為を確実に防止することができる。
【００１７】
また、本発明は、前記接合体が、筒状基部と、この筒状基部の内周中央部に内方に突出して形成された内側フランジとを備え、前記内側フランジに前記一方側係止体及び前記他方側係止体が係止し、前記係止状態の前記両係止体を外部からアクセスできないように前記接合体が前記両封止部の外側を包被するものであることを特徴としている（請求項４）。
【００１８】
このような構成によれば、接合体により両封止部の外側を包被するため、接合体の内側に外部から工具等を挿入することが困難になり、不正行為を確実に防止することができる。
【００１９】
また、本発明は、前記一方側封止部が、切離可能な支持部を介して前記カバーの側面に一体形成され、前記ベース側面の前記他方側封止部が、切離可能な支持部を介して一体形成されていることを特徴としている（請求項５）。
【００２０】
このような構成によれば、一方側封止部及び他方側封止部の支持部を切断することで、一方側係止体及び他方側係止体の接合体への係止による封止状態を解除することができる。
【００２１】
また、本発明は、前記一方側係止体が、前記一方側封止部に植設された一対の突起と、これら両突起の先端に形成されたフックとを備え、前記他方側係止体が、前記他方側封止部に前記一方側係止体の前記両突起と位相をずらして植設された一対の突起と、これら両突起の先端に形成されたフックとを備えていることを特徴としている（請求項６）。
【００２２】
このような構成によれば、一方側係止体及び他方側係止体それぞれが、一対の突起とその先端のフックとを備えるため、簡単な構成により、接合体にフックを係止することで一方側封止部及び他方側封止部を接合することができる。このとき、一方側係止体の両突起と他方側封止部の両突起との位相ずれは、ほぼ９０゜に設定するとよい。
【００２３】
【発明の実施の形態】
（第１実施形態）
この発明を遊技機であるスロットマシンに適用した場合における第１実施形態について図１ないし図７を参照して説明する。但し、図１はスロットマシンの正面図、図２はケースの一部の分解斜視図、図３及び図４はそれぞれ異なる一部の側面図、図５ないし図７はそれぞれ異なる一部の断面図である。
【００２４】
本実施形態におけるスロットマシンは、例えば図１に示すように構成されている。即ち、図１に示すように、スロットマシン１では、筐体３の前面が前面パネル５により開閉自在に閉塞され、この前面パネル５のほぼ中央高さの位置に操作板７が配設されると共に、この操作板７の上方に正面板９が配設されている。
【００２５】
そして、この正面板９には３個のリール窓１１が並設され、各リール窓１１の内側には左、中、右の各リールが配置され、右端のリール窓１１の横には、ゲームの演出用画面を表示する液晶ディスプレイ１３が配設されており、各リール窓１１からは、各リールの図柄が各々３個ずつ見えるように設定されている。
【００２６】
更に、この操作板７には、クレジットされているメダルから投入を行うクレジットメダルボタン１５、各リールの回転を開始させるためのスタートレバー１７、第１ないし第３ストップボタン１９，２１，２３、及び、メダル投入口２５や払出しボタン２７が設けられている。また、正面板９には入賞ラインが描かれると共に、入賞ライン中の有効ラインを表示する有効表示ランプ３１、ボーナスゲームの状態などを表示する種々の演出表示ランプ３３、クレジットメダルの枚数を表示するメダル枚数表示器３５が正面板９に配設され、操作板７の下方にはメダル払出口３７やメダル受け３９が設けられている。
【００２７】
ところで、筐体３内部の上側には、ＣＰＵやＲＯＭ、ＲＡＭ等のチップ部品が実装された制御基板を収容した基板ケースが配設される。図２ないし図４に示すように、この基板ケース４１は、透明樹脂製のベース４３とカバー４５とに分割され、ケース４１内に制御基板４７が収められた後、右側の加締め部４９においてベース４３とカバー４５とが加締められて封止され、筐体３内部に固着されたホルダ５１にベース４３が固定され、加締め部４９を壊さない限りケース４１を開けることができない構造になっている。尚、ベース４３及びカバー４５の左側には、凹凸の組み合わせから成る係合部及び被係合部が形成され、これら係合部及び被係合部によりベース４３及びカバー４５の左側が係脱自在に係合されている。
【００２８】
この加締め部４９は、カバー４５の右側面に６個形成された一方側封止部である円筒状のカバー側封止部５３ａ〜５３ｆと、ベース４３の右側面であって両端のカバー側封止部５３ａ，５３ｆの対向位置に形成された他方側封止部である２個の円筒状のベース側封止部５５ａ，５５ｆと、ホルダ５１のカバー側封止部５３ｂ〜５３ｅの対向位置に形成された他方側封止部である４個の円筒状のホルダ側封止部５５ｂ〜５５ｅと、一端のカバー側封止部５３ａとベース側封止部５５ａとの間に介挿すべく制御基板４７の右端に形成されたリング状の接合体５７と、残り５個のカバー側封止部５３ｂ〜５３ｆそれぞれとホルダ側封止部５５ｂ〜５５ｅ及びベース側封止部５５ｆそれぞれとの間に介挿すべく設けられるリング状の接合体５９とを備えている。これらカバー側封止部５３ａ〜５３ｆ、ベース側封止部５５ａ，５５ｆ、ホルダ側封止部５５ｂ〜５５ｅ、及び接合体５７，５９はほぼ同じ外径に形成されている。
【００２９】
図２ないし図４に示すように、各カバー側封止部５３ａ〜５３ｆは、切離可能な支持部６１を介してカバー４５の右側面に成型加工により一体的に形成され、両ベース側封止部５５ａ，５５ｆもこれらと同様に、切離可能な支持部６３を介してベース４３の右側面に成型加工により一体的に形成され、接合体５７も切離可能な支持部６５を介して制御基板４７の右端に成型加工により一体的に形成されている。尚、接合体５７，５９を全て制御基板４７に一体的に形成してもよく、こうすると接合体５７，５９を紛失することもなく、接合体５７，５９が制御基板４７から切離されていれば、切断の痕跡が制御基板４７に残るため、その痕跡から不正の有無の発見が容易になる。
【００３０】
また、図２ないし図７に示すように、各カバー側封止部５３ａ〜５３ｆには、両ベース側封止部５５ａ，５５ｆ及び各ホルダ側封止部５５ｂ〜５５ｅとの対向面に、一方側係止体として、一対の突起６７が各々植設されると共に、これら両突起６７各々の先端には外方向きに鉤状のフック６９が形成され、これと同様に、両ベース側封止部５５ａ，５５ｆ及び各ホルダ側封止部５５ｂ〜５５ｅには、各カバー側封止部５３ａ〜５３ｆとの対向面にカバー側の突起６７と９０゜ずつ位相をずらして、他方側係止体として、一対の突起７１が各々植設されると共に、これら両突起７１各々の先端には外方向きに形成されたフック７３が形成されている。
【００３１】
このとき、突起６７が形成されたカバー側封止部５３ａ〜５３ｆの端面であって各々における両突起６７間の位置には、接合相手であるベース側封止部５５ａ，５５ｆ及びホルダ側封止部５５ｂ〜５５ｅのフック７３の逃がし用凹部７５が形成されると共に、突起７１が形成されたベース側封止部５５ａ，５５ｆ及びホルダ側封止部５５ｂ〜５５ｅの端面であって各々における両突起７１間の位置には、接合相手であるカバー側封止部５３ａ〜５３ｆのフック６９の逃がし用凹部７７が形成されている。
【００３２】
また、接合体５７は一端のカバー側封止部５３ａとベース側封止部５５ａとの間に介挿され、接合体５９は残りのカバー側封止部５３ｂ〜５３ｆと残りのベース側封止部５５ｆ及び各ホルダ側封止部５５ｂ〜５５ｅとの間に介挿される。
【００３３】
そして、接合体５７を例にとって説明すると、図５に示すように、接合体５７の透孔内にカバー側封止部５３ａの両突起６７とベース側封止部５５ａの突起７１が互いに反対側から挿入され、カバー側封止部５３ａのフック６９とベース側封止部５５ａのフック７３とが接合体５７の内側に係止し、これによりカバー側封止部５３ａとベース側封止部５５ａとが接合されてケース４１が封止される。
【００３４】
こうして、接合体５７の内側にカバー側封止部５３ａのフック６９とベース側封止部５５ａのフック７３とが係止した状態では、図５に示すように、接合体５７によりカバー側封止部５３ａとベース側封止部５５ａとの間の隙間が塞がれ、係止状態の各フック６９，７３及び各突起６７，７１は外部からアクセスできず、工具等により外部から各フック６９，７３の係止を解除することができないようになっている。
【００３５】
尚、接合体５９によるカバー側封止部５３ｂ〜５３ｅとホルダ側封止部５５ｂ〜５５ｅとの接合部分、及び接合体５９によるカバー側封止部５３ｆとベース側封止部５５ｆとの接合部分も、図６及び図７にそれぞれ示すように、上記した例と同様の構造であって同様に接合がなされる。
【００３６】
ところで、従来の場合と同様に、当初内蔵されている制御基板４７上の正規のＲＯＭを取り外して不正な変造ＲＯＭが取り付けられることを防止するために、まず１番目のカバー側封止部５３ａとベース側封止部５５ａとが接合体５７を介して接合され、これによりケース４１が封止され、この封止状態のまま制御基板４７がケース４１ごとパチンコホールに搬送される。
【００３７】
更に、パチンコホールにおいて、２番目のカバー側封止部５３ｂとホルダ側封止部５５ｂとが接合体５９を介して接合され、封止状態のケース４１がホルダ５１を介して筐体３内部の所定位置に固定される。
【００３８】
そして、監督機関が変造ＲＯＭを取り締まるために、パチンコホールにおいてチェックする際には、封止されている１番目のカバー側封止部５３ａ，ベース側封止部５５ａ及び２番目のカバー側封止部５３ｂ，ホルダ側封止部５５ｂが、それらを支持する各支持部６１，６３，６５において切断されて封止解除され、カバー４５が開放可能な状態とされ、チェック終了後に３番目のカバー側封止部５３ｃ，ホルダ側封止部５５ｃが接合体５９を介して接合され、このような監督機関による変造ＲＯＭの取り締まりごとに４番目のカバー側封止部５３ｄ及びホルダ側封止部５５ｄ、５番目のカバー側封止部５３ｅ及びホルダ側封止部５５ｅが、順次接合体５９を介して接合されてケース４１が封止され、合計３回の監督機関によるチェックまで許容される構造が確保されている。
【００３９】
尚、制御基板４７をケース４１ごと回収する際に、ホルダ側封止部５５ｅに接合されている５番目のカバー側封止部５３ｅが、これを支持する支持部６１において切断されて封止解除され、ケース４１が筐体３内部から取り外し可能な状態にされると共に、６番目のカバー側封止部５３ｆ及びベース側封止部５５ｆが接合体５９を介して接合されてケース４１が再び封止され、ケース４１が封止状態のまま搬送可能な状態にされ、制御基板４７がケース４１ごと回収される。
【００４０】
このように、各カバー側封止部５３ａ〜５３ｆに形成された突起６７及びフック６９、並びに、ベース側封止部５５ａ，５５ｆ及びホルダ側封止部５５ｂ〜５５ｅに形成された突起７１及びフック７３が、接合体５７，５９の内側に係止され、これにより各カバー側封止部５３ａ〜５３ｆとベース側封止部５５ａ，５５ｆ及びホルダ側封止部５５ｂ〜５５ｅとが接合されると共に、接合体５７，５９により、各カバー側封止部５３ａ〜５３ｆとベース側封止部５５ａ，５５ｆ及びホルダ側封止部５５ｂ〜５５ｅとの間の隙間が塞がれ、各フック６９，７３及び各突起６７，７１が接合体５７，５９により外部からアクセスできないように覆われる。
【００４１】
従って、第１実施形態によれば、従来のようにねじを用いることなくケース４１を封止することができ、しかも係止状態の各フック６９，７３及び各突起６７，７１が接合体５７，５９により覆われて外部からはアクセスできない状態になるため、工具を用いてこれらの係止状態が外部から解除されるおそれもなく、不正行為を確実に防止することができる。
【００４２】
また、制御基板４７に一体に接合体５７を形成したため、ベース４３をカバー４５によって覆い、カバー側封止部５３ａとベース側封止部５５ａとを対向させ、各々の突起６７，７１を接合体５７の透孔に挿入して各々のフック６９，７３を接合体５７に係止させる際に、容易に位置決めすることができ、封止作業の作業能率の向上を図ることができる。しかも、接合体５７が制御基板４７に一体に形成されているため、接合体５７を切断したときは切断の痕跡が制御基板４７に残り、その痕跡から不正による切断を容易に発見することができる。このことは、その他の接合体５９を制御基板４７に一体に形成した場合も同様である。
【００４３】
更に、制御基板４７に一体形成された接合体５７以外の接合体５９は、一般のワッシャと同じ構造であることから、寸法が合致することを条件に、これら接合体５９として既存のワッシャを使用することも可能であり、非常に安価な構成で済む。
【００４４】
また、支持部６１，６３，６５を切断することで、各カバー側封止部５３ａ〜５３ｆそれぞれと、ベース側封止部５５ａ，５５ｆ及びホルダ側封止部５５ｂ〜５５ｅそれぞれとの接合を解除してケース４１の封止状態を容易に解除することができる。
【００４５】
なお、上記した第１実施形態において、各カバー側封止部５３ａ〜５３ｆ及び両ベース側封止部５５ａ，５５ｆの突起形成面の反対面は開口しているため、これを閉塞する蓋部材をこれら開口部分に嵌着するようにしてもよい。
【００４６】
こうすれば、開口部分に外部から工具等を挿入することができなくなり、不正行為をより確実に防止することができる。
【００４７】
（第２実施形態）
この発明の第２実施形態について図８ないし図１２を参照して説明する。但し、図８はケースの一部の分解斜視図、図９及び図１０は一部の接合状態における斜視図及び切欠斜視図、図１１及び図１２はそれぞれ異なる一部の接合状態における断面図である。尚、本実施形態もスロットマシンに適用した例であって、本実施形態におけるスロットマシンの構成は、図１に示すものと基本的に同じであるため、以下の説明では図１も参照することとし、主として上記した第１実施形態と相違する点について説明する。
【００４８】
本実施形態では、制御基板４７を収容した基板ケース４１を構成するベース４３及びカバー４５に形成された加締め部４９の構成が、上記した第１実施形態と相違している。即ち、図８に示すように、カバー４５の右側面に一定間隔で６個の連結片７９が成型加工により一体形成されると共に、これら各連結片７９に一方側封止部である円盤状のカバー側封止部８１ａ〜８１ｆが成型加工により一体形成されている。
【００４９】
また、ベース４３の右側面であって両端の連結片７９の対向位置に連結片８３が成型加工により一体形成され、両連結片８３に他方側封止部である円盤状のベース側封止部８５ａ，８５ｆが成型加工により一体形成されている。更に、ホルダ５１のカバー側封止部８１ｂ〜８１ｅの対向位置に他方側封止部である４個の円盤状のホルダ側封止部８５ｂ〜８５ｅが成型加工により一体形成されている。
【００５０】
そして、図８ないし図１２に示すように、各カバー側封止部８１ａ〜８１ｆには、両ベース側封止部８５ａ，８５ｆ及び各ホルダ側封止部８５ｂ〜８５ｅとの対向面に、一方側係止体として、一対の突起８７が各々植設されると共に、これら両突起８７各々の先端には外方向きに鉤状のフック８８が形成され、これと同様に、両ベース側封止部８５ａ，８５ｆ及び各ホルダ側封止部８５ｂ〜８５ｅには、各カバー側封止部８１ａ〜８１ｆとの対向面にカバー側の突起８７と９０゜ずつ位相をずらして、他方側係止体として、一対の突起９０が各々植設されると共に、これら両突起９０各々の先端には外方向きに形成されたフック９１が形成されている。
【００５１】
このとき、突起８７が形成されたカバー側封止部８１ａ〜８１ｆの端面であって各々における両突起８７間の位置には、接合相手であるベース側封止部８５ａ，８５ｆ及びホルダ側封止部８５ｂ〜８５ｅのフック９１の逃がし用凹部９３が形成されると共に、突起９０が形成されたベース側封止部８５ａ，８５ｆ及びホルダ側封止部８５ｂ〜８５ｅの端面であって各々における両突起９０間の位置には、接合相手であるカバー側封止部８１ａ〜８１ｆのフック８８の逃がし用凹部９５が形成されている。
【００５２】
更に、図８に示すように、各カバー側封止部８１ａ〜８１ｆと、両ベース側封止部８５ａ，８５ｆ及び各ホルダ側封止部８５ｂ〜８５ｅとを接合する接合体９７が設けられており、特に図１０ないし図１２に示されるように、接合体９７のほぼ円筒状を成す基部の内周中央部には、内方に突出した内側フランジ９９が形成されている。このとき、各カバー側封止部８１ａ〜８１ｆ、並びに、両ベース側封止部８５ａ，８５ｆ及び各ホルダ側封止部８５ｂ〜８５ｅは同一径に設定され、接合体９７の内径は、各カバー側封止部８１ａ〜８１ｆ、並びに、両ベース側封止部８５ａ，８５ｆ及び各ホルダ側封止部８５ｂ〜８５ｅの外径とほぼ同一若しくは若干大きく設定されている。
【００５３】
そして、両端のカバー側封止部８１ａ（または８１ｆ）及びベース側封止部８５ａ（または８５ｆ）を例にとって説明すると、図９ないし図１１に示すように、接合体９７の内側にカバー側封止部８１ａ（または８１ｆ）及びベース側封止部８５ａ（または８５ｆ）が互いに反対側から挿入され、カバー側封止部８１ａ（または８１ｆ）のフック８８とベース側封止部８５ａ（または８５ｆ）のフック９１とが接合体９７の内側フランジ９９に係止し、これによりカバー側封止部８１ａ（または８１ｆ）とベース側封止部８５ａ（または８５ｆ）とが接合されてケース４１が封止される。
【００５４】
こうして、接合体９７の内側にカバー側封止部８１ａ（または８１ｆ）のフック８８とベース側封止部８５ａ（または８５ｆ）のフック９１とが係止した状態では、図９ないし図１１に示すように、接合体９７によりカバー側封止部８１ａ（または８１ｆ）及びベース側封止部８５ａ（または８５ｆ）の外側が完全に包被され、係止状態の各フック８８，９１及び各突起８７，９０は外部からアクセスできず、工具等により外部から各フック８８，９１の係止を解除することができないようになっている。
【００５５】
尚、接合体９７によるカバー側封止部８１ｂ〜８１ｅとホルダ側封止部８５ｂ〜８５ｅとの接合部分も、図１２に示すように、上記した例と同様に接合がなされる。
【００５６】
従って、第２実施形態によれば、接合体９７により接合されるカバー側封止部８１ａ〜８１ｆそれぞれと、ベース側封止部８５ａ，８５ｆ及びホルダ側封止部８５ｂ〜８５ｅそれぞれとの外側が完全に包被されるため、接合体９７の内側に外部から工具等を挿入することが困難になり、不正行為を確実に防止することができる。
【００５７】
また、第１実施形態と比較して、接合体９７は１種類で済み、制御基板４７に接合体を一体形成する必要がないと言う利点がある。
【００５８】
なお、上記した各実施形態では、本発明をスロットマシンに適用した場合について説明したが、パチンコ機といった他の遊技機にも本発明を適用することができ、その場合にも上記した各実施形態と同等の効果を得ることができる。
【００５９】
また、上記した第１実施形態では、各カバー側封止部５３ａ〜５３ｆ、並びに、両ベース側封止部５５ａ，５５ｆ及び各ホルダ側封止部５５ｂ〜５５ｅを円筒状とし、接合体５７，５９をリング状として説明し、上記した第２実施形態では、各カバー側封止部８１ａ〜８１ｆ、並びに、両ベース側封止部８５ａ，８５ｆ及び各ホルダ側封止部８５ｂ〜８５ｅを円盤状とし、接合体９７をほぼ円筒状として説明したが、各封止部の外観は、例えば正面から見て多角形を成す筒状や平盤状であってもよく、接合体の外観も例えば正面から見て多角形を成す平板状であっても構わない。
【００６０】
更に、上記した各実施形態では、係止体を突起とフックの組み合わせ構造とした例を挙げて説明したが、係止体はこれら突起及びフックに限定されるものでないのは言うまでもない。
【００６１】
また、本発明は上記した実施形態に限定されるものではなく、その趣旨を逸脱しない限りにおいて上述したもの以外に種々の変更を行うことが可能である。
【００６２】
【発明の効果】
以上のように、請求項１に記載の発明によれば、一方側封止部に形成された一方側係止体、及び、他方側封止部に形成された他方側係止体が、接合体の内側に係止され、これにより一方側封止部及び他方側封止部が接合されると共に、両係止体が接合体により外部からアクセスできないように覆われるため、ねじを用いることなくケースを封止することができ、しかも係止状態の両係止体が接合体により外部からはアクセスできない状態になることから、従来のように、工具により両係止体の係止状態が外部から解除されることもなく、不正行為を確実に防止することが可能になる。
【００６３】
また、請求項２に記載の発明によれば、ベースをカバーによって覆う際に、一方側封止部と他方側封止部とを対向させて両係止体を接合体に係止させる位置に容易に位置決めすることが可能になる。
【００６４】
更に、制御基板に形成された接合体に一方側係止体と他方側係止体とを係止させることにより、別途準備した接合体を使用する場合に比べ、封止前に接合体を紛失するようなこともなく、封止作業を効率よく円滑に行うことが可能になる。しかも、接合体が制御基板に形成されているため、接合体を切断したときは切断の痕跡が制御基板に残り、その痕跡から不正による切断を容易に発見することが可能になる。
【００６５】
また、請求項３に記載の発明によれば、各接合体が透孔を有する平板状であり、円形或いは多角形のワッシャ状であるため、接合体を簡単に形成することができ、しかも接合体により両封止部間の隙間を塞ぐことにより、両封止部間の隙間に外部から工具等を挿入することが困難になり、不正行為を確実に防止することが可能になる。
【００６６】
また、請求項４に記載の発明によれば、接合体により両封止部の外側を包被するため、接合体の内側に外部から工具等を挿入することが困難になり、不正行為を確実に防止することが可能になる。
【００６７】
また、請求項５に記載の発明によれば、一方側封止部及び他方側封止部の支持部を切断することで、一方側係止体及び他方側係止体の接合体への係止による封止状態を解除することが可能になる。
【００６８】
また、請求項６に記載の発明によれば、一方側係止体及び他方側係止体それぞれが、一対の突起とその先端のフックとを備えるため、簡単な構成により、接合体にフックを係止することで一方側封止部及び他方側封止部を接合することが可能になる。
【図面の簡単な説明】
【図１】この発明の第１実施形態におけるスロットマシンの正面図である。
【図２】この発明の第１実施形態におけるケースの一部の分解斜視図である。
【図３】この発明の第１実施形態における一部の側面図である。
【図４】この発明の第１実施形態における異なる一部の側面図である。
【図５】この発明の第１実施形態における一部の断面図である。
【図６】この発明の第１実施形態における他の一部の断面図である。
【図７】この発明の第１実施形態における異なる一部の断面図である。
【図８】この発明の第２実施形態におけるケースの一部の分解斜視図である。
【図９】この発明の第２実施形態における一部の接合状態における斜視図である。
【図１０】この発明の第２実施形態における一部の接合状態における切欠斜視図である。
【図１１】この発明の第２実施形態における一部の接合状態における断面図である。
【図１２】この発明の第２実施形態における他の一部の接合状態における断面図である。
【図１３】従来例の斜視図である。
【符号の説明】
１　　スロットマシン（遊技機）
３　　筐体（遊技機筐体）
４１　基板ケース
４３　ベース
４５　カバー
４７　制御基板
５３ａ〜５３ｆ，８１ａ〜８１ｆ　カバー側封止部（一方側封止部）
５５ａ，５５ｆ，８５ａ，８５ｆ　ベース側封止部（他方側封止部）
５５ｂ〜５５ｅ，８５ｂ〜８５ｅ　ホルダ側封止部（他方側封止部）
５７，５９　接合体
６７，８７　突起（一方側係止体）
６９，８８　フック（一方側係止体）
７１，９０　突起（他方側係止体）
７３，９１　フック（他方側係止体）
９７　接合体
９９　内側フランジ
【図１】
2004008286.tif 000003
【図２】
2004008286.tif 000004
【図３】
2004008286.tif 000005
【図４】
2004008286.tif 000006
【図５】
2004008286.tif 000007
【図６】
2004008286.tif 000008
【図７】
2004008286.tif 000009
【図８】
2004008286.tif 000010
【図９】
2004008286.tif 000011
【図１０】
2004008286.tif 000012
【図１１】
2004008286.tif 000013
【図１２】
2004008286.tif 000014
【図１３】
2004008286.tif 000015